(57)【要約】【課題】ヘルメットの帽体に設置して使用されるヘルメット用内装体において、この内装体が設置されたヘルメットを、違和感なくかぶることができるヘルメット用内装体を提供する。【解決手段】ヘルメット５の帽体７の内側に設置されて使用されるヘルメット用内装体３において、中央部１３と、中央部１３から延伸している少なくとも４つの延伸部１５とを有し、４つの延伸部１５のうちで、前側に位置する２つの前側延伸部１５Ａ、１５Ｂの各中心線Ｌ１、Ｌ３の延長線の交点Ｐ１が、中央部１３の中心Ｐ０よりも前側に存在し、後側に位置する２つの後側延伸部１５Ｃ、１５Ｄの各中心線Ｌ５、Ｌ７の延長線の交点Ｐ３が、前記中央部の中心Ｐ０よりも後側に存在している。【選択図】図３
2008150745.tif 000002
【特許請求の範囲】
【請求項１】
ヘルメットの帽体の内側に設置されて使用されるヘルメット用内装体において、
中央部と；
前記中央部から延伸している少なくとも４つの延伸部と；
を有し、前記４つの延伸部のうちで、前側に位置する２つの前側延伸部の各中心線の延長線の交点が、前記中央部の中心よりも前側に存在し、後側に位置する２つの後側延伸部の各中心線の延長線の交点が、前記中央部の中心よりも後側に存在していることを特徴とするヘルメット用内装体。
【請求項２】
ヘルメットの帽体の内側に設置されて使用されるヘルメット用内装体において、
中央部と；
前記中央部から延伸している複数の帯状の延伸部と；
前記中央部から離れて前記中央部を囲むように設けられた外側環状部位と；
を有することを特徴とするヘルメット用内装体。
【請求項３】
請求項２に記載のヘルメット用内装体において、
前記外側環状部位は、円弧状に形成されており、また、前記外側環状部位は、長手方向の一端部が前記延伸部に一体的に接合され長手方向の他端部が前記一端部が接合されている延伸部とは異なる延伸部に接続可能になっている複数の帯状部位で構成されており、前記他端部が接続されることによって、環状に形成されるようになっており、
前記帯状部位の他端部を接続せずに前記ヘルメット用内装体を平面状に展開した状態では、前記帯状部位の他端部が一端部よりも外側に位置していることを特徴とするヘルメット用内装体。
【請求項４】
請求項３に記載のヘルメット用内装体において、
前記帯状部位の他端部と前記延伸部とがお互いに接続された状態でも、前記延伸部に対して、前記帯状部位の他端部が、所定の摩擦抵抗をもって前記帯状部位の延伸方向に移動するように構成されていることを特徴とするヘルメット用内装体。
【請求項５】
請求項２〜請求項４のいずれか１項に記載のヘルメット用内装体において、
前記延伸部は、前記中央部から少なくとも４つ放射状に延伸しており、
前記４つの延伸部のうちで、前側に位置する２つの前側延伸部の各中心線の延長線の交点が、前記中央部の中心よりも前側に存在し、後側に位置する２つの後側延伸部の各中心線の延長線の交点が、前記中央部の中心よりも後側に存在していることを特徴とするヘルメット用内装体。
【発明の詳細な説明】
【技術分野】
【０００１】
本発明は、ヘルメット用内装体に係り、特に、ヘルメット用内装体の中央部から延伸している延伸部の形態やヘルメットをかぶった者の頭部に接触する部位が従来のものとは異なるものに関する。
【背景技術】
【０００２】
図１６は、従来のヘルメット２００（たとえば、特許文献１参照）の概略構成を示す図である。
【０００３】
ヘルメット２００は、帽体２０２と内装体（ハンモック）２０４と顎バンド２０６とを備えて構成されている。内装体２０４は、環状の中央部２０８と、この中央部２０８から放射状に延伸している６つの延伸部２１０とを備えて構成されている。なお、延伸部２１０の先端部は、帽体２０２の内側で帽体２０２の縁部近傍に一体的に固定されている。
【０００４】
図１７は、従来のヘルメット用内装体の係止装置３００（たとえば、特許文献２参照）の概略構成を示す図である。
【０００５】
ヘルメット用内装体の係止装置３００は、差し込み溝３０２Ａ、３０２Ｂを形成するために帽体２０２に設けられたブラケット３０４Ａ、３０４Ｂと、延伸部２１０の先端部２１２に設けられた差し込み片３０６Ａ、３０６Ｂと、係止アーム３０８Ａ、３０８Ｂとを備えて構成されている。
【特許文献１】特開平１０−３３１０１８号公報
【特許文献２】特開２０００−１４４５１４号公報
【発明の開示】
【発明が解決しようとする課題】
【０００６】
ところで、ヘルメット２００では、ヘルメット２００の帽体２０２に加わった衝撃力を吸収することはできるが、ヘルメット２００をかぶった際、このかぶった者の頭部の主に頂上部とこの近傍に中央部２０８が接触することになる。したがって、ヘルメット２００をかぶった者の頭部の形状に内装体２０４がフィットしにくく、一体感が得にくいという問題がある。すなわち、ヘルメット２００をかぶった者が違和感をいだくおそれがあるという問題がある。
【０００７】
また、ヘルメット用内装体の係止装置３００では、延伸部２１０の先端部２１２をブラケット３０４Ａ、３０４Ｂに係止する作業をする場合、図１７（ｂ）に示すように、延伸部２１０の先端部２１２をブラケット３０４Ａ、３０４Ｂに近づけて係止アーム３０８Ａ、３０８Ｂを弾性変形させた後に、延伸部２１０を矢印ＡＲ２１の方向に引き上げる。また、必要に応じて、延伸部２１０の先端部２１２をブラケット３０４Ａ、３０４Ｂに対して、回転する作業も必要になる。
【０００８】
すなわち、延伸部２１０の先端部を多方向に移動して係止作業を行なう必要があるので、延伸部２１０の先端部２１２をブラケット３０４Ａ、３０４Ｂに係止する作業が煩雑であるという問題がある。
【０００９】
本発明は、前記問題点に鑑みてなされたものであり、ヘルメットの帽体に設置して使用されるヘルメット用内装体において、この内装体が設置されたヘルメットを、違和感なくかぶることができるヘルメット用内装体を提供することを目的とする。
【課題を解決するための手段】
【００１０】
請求項１に記載の発明は、ヘルメットの帽体の内側に設置されて使用されるヘルメット用内装体において、中央部と、前記中央部から延伸している少なくとも４つの延伸部とを有し、前記４つの延伸部のうちで、前側に位置する２つの前側延伸部の各中心線の延長線の交点が、前記中央部の中心よりも前側に存在し、後側に位置する２つの後側延伸部の各中心線の延長線の交点が、前記中央部の中心よりも後側に存在しているヘルメット用内装体である。
【００１１】
請求項２に記載の発明は、ヘルメットの帽体の内側に設置されて使用されるヘルメット用内装体において、中央部と、前記中央部から延伸している複数の帯状の延伸部と、前記中央部から離れて前記中央部を囲むように設けられた外側環状部位とを有するヘルメット用内装体である。
【００１２】
請求項３に記載の発明は、請求項２に記載のヘルメット用内装体において、前記外側環状部位は、円弧状に形成されており、また、前記外側環状部位は、長手方向の一端部が前記延伸部に一体的に接合され長手方向の他端部が前記一端部が接合されている延伸部とは異なる延伸部に接続可能になっている複数の帯状部位で構成されており、前記他端部が接続されることによって、環状に形成されるようになっており、前記帯状部位の他端部を接続せずに前記ヘルメット用内装体を平面状に展開した状態では、前記帯状部位の他端部が一端部よりも外側に位置しているヘルメット用内装体である。
【００１３】
請求項４に記載の発明は、請求項３に記載のヘルメット用内装体において、前記帯状部位の他端部と前記延伸部とがお互いに接続された状態でも、前記延伸部に対して、前記帯状部位の他端部が、所定の摩擦抵抗をもって前記帯状部位の延伸方向に移動するように構成されているヘルメット用内装体である。
【００１４】
請求項５に記載の発明は、請求項２〜請求項４のいずれか１項に記載のヘルメット用内装体において、前記延伸部は、前記中央部から少なくとも４つ放射状に延伸しており、前記４つの延伸部のうちで、前側に位置する２つの前側延伸部の各中心線の延長線の交点が、前記中央部の中心よりも前側に存在し、後側に位置する２つの後側延伸部の各中心線の延長線の交点が、前記中央部の中心よりも後側に存在しているヘルメット用内装体である。
【発明の効果】
【００１５】
本発明によれば、ヘルメットの帽体に設置して使用されるヘツメット用内装体において、この内装体が設置されたヘルメットを、違和感なくかぶることができるヘルメット用内装体を提供することができるという効果を奏する。
【発明を実施するための最良の形態】
【００１６】
図１は、本発明の実施形態に係るヘルメット用内装体の係止装置１とヘルメット用内装体３とを備えたヘルメット５の概略構成を示す斜視図であり、図２は、図１におけるＩＩ矢視図である。
【００１７】
ヘルメット５は、ポリエチレン等の合成樹脂等で構成された椀状の帽体７の内側に、ポリエチレン等の合成樹脂で構成されたヘルメット用内装体３を設置して構成されている。なお、ヘルメット用内装体３は、ヘルメット用内装体の係止装置１を用いて帽体７に設置され係止されるようになっている。
【００１８】
ここで、ヘルメット用内装体３について詳しく説明する。
【００１９】
図３は、ヘルメット用内装体３を平面状に展開した状態を示す概略図であり、図４は、ヘルメット用内装体３を組み立てた状態を示す概略の斜視図である。
【００２０】
ヘルメット用内装体３が設置されたヘルメット５を人がかぶった場合（着用した場合）、ヘルメット用内装体３を介して帽体７が支持されると共に、帽体７に加えられた衝撃力を、ヘルメット用内装体３が緩和するようになっている。なお、図３の紙面に現れている面は、人の頭部に接触する面である。
【００２１】
ヘルメット用内装体３は、ハンモック９とヘッドバンド１１とをたとえば一体成型することで一体的に構成されているが、ハンモック９とヘッドバンド１１と分離・接続自在にした構成であってもよい。また、ハンモック９のみをヘルメット用内装体と呼ぶ場合がある。
【００２２】
ヘルメット用内装体３のハンモック９やヘッドバンド１１は、所定の幅と所定の薄い厚さを備えた帯状のものを、図３に示すように適宜の形状に形成して構成されている。したがって、ハンモック９やヘッドバンド１１は、図３の紙面に直角な方向で所定の僅かな厚みになっていると共に、適宜の弾性を備えている。
【００２３】
ヘルメット用内装体３のハンモック９は、たとえば、矩形な環状の中央部１３を備えている。中央部１３は、ヘルメット用内装体３がヘルメット５の帽体７に設置されてこのヘルメット５を人がかぶった場合、人の頭頂部位のまわりに接触するものである。中央部１３は、長方形状に形成されており、中央部１３の長手方向が人の頭の前後方向になる。
【００２４】
中央部１３には、複数の（たとえば４つ）延伸部１５が設けられている。各延伸部１５は、矩形状の中央部１３の各角部位から、中央部１３から離れる方向に向かって放射状に延伸している。さらに、各延伸部１５の先端部には、ヘルメット用内装体３の係止装置１の係合部１７が設けられており、この係合部１７がヘルメット５の帽体７に設けられているブラケット部１９に係止されることにより、ヘルメット用内装体３がヘルメット５の帽体７の内側に一体的に設置されるようになっている。
【００２５】
４つの延伸部１５のうちで、前側（内装体３がヘルメット５の帽体７に設置されてこのヘルメット５を人がかぶった場合における前側）に位置する２つの前側延伸部１５Ａ、１５Ｂの各中心線Ｌ１、Ｌ３の延長線の交点Ｐ１が、前記中央部１３の中心Ｐ０よりも前側に存在している。より精確には、交点Ｐ１が、中央部１３の中心Ｐ０を通りヘルメット５前後方向および上下方向に展伸している面上であって、前記中央部１３の中心Ｐ０よりも前側に存在している（図３参照）。
【００２６】
同様にして、４つの延伸部１５のうちで、後側に位置する２つの後側延伸部１５Ｃ、１５Ｄの各中心線Ｌ５、Ｌ７の延長線の交点Ｐ３が、中央部１３の中心Ｐ０よりも後側に存在している。なお、延伸部１５は、少なくとも上述した位置に４つ設けられていればよい。したがって、延伸部１５を５つ以上設けた構成であってもよい。
【００２７】
また、延伸部１５には、各々に外側環状部位２１が設けられている。外側環状部位２１は、中央部１３から離れて中央部１３を囲むように設けられている。また、外側環状部位２１は、延伸部１５と交差するようにして設けられている。
【００２８】
さらに、外側環状部位２１は、帯状で円弧状に形成された帯状部位で構成されており、帯状部位の長手方向の一端部（基端部）側が延伸部１５に一体的に接合され、帯状部位の長手方向の他端部（先端部）側が、前記一端部側が接合されている延伸部１５とは異なる延伸部１５に接続可能になっている。たとえば、図３に示す外側環状部位（帯状部位）２１Ａは、この長手方向の一端部が、延伸部１５Ａに一体的に接合されており、外側環状部位（帯状部位）２１Ａの長手方向の他端部が、延伸部１５Ｂに接続可能になっている。なお、図３に示す外側環状部位（帯状部位）２１Ａとは中心Ｐ０で点対称とした後側に、外側環状部位（帯状部位）２１（一端部（記端部）が延伸部１５Ｄに接続）が設けられている。
【００２９】
また、図３の前側を下方として紙面を見た場合に、中央部１３を挟んで左右方向に中心Ｐ０で点対称となるように延伸部１５Ｂと１５Ｃそれぞれに一端部（記端部）が接続された外側環状部位（帯状部位）２１が各々設けられている。本発明では、延伸部１５Ｂと１５Ｃに一端部を接続した外側環状部位は、延伸部１５Ａと１５Ｄに一端部を接続した外側環状部位に比べてその長さ（弧線の長さ）が長くなるように設定されている。
【００３０】
そして、外側環状部位（帯状部位）２１の他端部が、延伸部１５に接続されることによって、４つの帯状部位で環状の外側環状部位２１が形成され、この外側環状部位２１が各延伸部と交差する。なお、外側環状部位（帯状部位）２１の幅方向の中央部には、外側環状部位２１の長手方向に沿って延びた円弧状の切り欠き２３が設けられている。
【００３１】
また、外側環状部位２１の帯状部位の他端部を接続せずにヘルメット用内装体３を図３に示すように平面状に展開した状態では、外側環状部位２１の帯状部位の他端部が一端部よりも外側（中央部１３から離れた側）に位置している。たとえば、図３に示す外側環状部位（帯状部位）２１Ａは、円弧状で帯状に形成されているが、外側環状部位（帯状部位）２１Ａの他端部（延伸部１５Ｂ側の端部）が、外側環状部位（帯状部位）２１Ａの一端部（延伸部１５Ａ側の端部）よりも外側に位置している。したがって、外側環状部位（帯状部位）２１Ａの円弧の中心は、中央部１３の中心Ｐ０からずれたところに存在しており、図３では、中心Ｐ０よりも右側（紙面前側の記載された方向）に存在している。
【００３２】
さらに、上記のように外側環状部位２１Ａの他端部がその一端部より外側に位置しているのと同様に、延伸部１５Ｂに一端部を設けた外側環状部位２１の他端部も外側に位置している。また、外側環状部位２１Ａの他端部より、延伸部１５Ｂに一端部を設けた外側環状部位２１の他端部のほうが、より外側に位置している。前述のように長さと一端部の位置（外側）を異ならせたこと構成とすることで、外側環状部位２１は、ヘルメット用内装体３がヘルメット５の帽体７に設置されてこのヘルメット５を人がかぶった場合、人の頭の前後方向そろえた形状、すなわち、中央部１３の形状にあわせて外側環状部位の帯状部位の長さなどを設定しているので、装着感が良好になる。
【００３３】
また、外側環状部位（帯状部位）２１の他端部と延伸部１５との接続の態様について例を掲げて説明する。
【００３４】
図１２は、図３におけるＸＩＩ部の拡大図であり、図１３は、図１２におけるＸＩＩＩ−ＸＩＩＩ断面を示す図である。
【００３５】
外側環状部位２１の帯状部位の先端部の近傍には、突起２５が設けられている。突起２５は、帯状部位の厚さ方向の一方の面（図１２では、紙面の奥側の面）に設けられている。
【００３６】
突起２５は、基端部側の部位２７と先端部側の部位２９とで構成されている。基端部側の部位２７は、たとえば、底面が正方形（一辺の寸法がＷ１）である四角柱状に形成されている。先端部側の部位２９は、たとえば長円で板状に形成されており、この幅はＷ１になっており、長さは幅Ｗ３よりも大きいＷ５になっている。
【００３７】
延伸部１５には、突起２５を係止するための長い円状の貫通孔３１が設けられている。貫通孔３１の幅寸法はＷ７であり長さ寸法はＷ９になっている。
【００３８】
さらに、図１３に示すように、延伸部１５の厚さ寸法は、Ｗ１１になっており、基端部側の部位２７の高さ寸法は、Ｗ１３になっている。
【００３９】
ここで、寸法Ｗ９は、寸法Ｗ５に比べて十分に大きくなっており、寸法Ｗ７は、寸法Ｗ１とほぼ等しいか寸法Ｗ１に比べて僅かに大きくなっている。また、寸法Ｗ１３は、寸法Ｗ１１とほぼ等しいか寸法Ｗ１１に比べて僅かに大きくなっている。
【００４０】
さらに、図３や図１２に示すように、ヘルメット用内装体３を平面状に展開した状態では、突起２５の先端部側の部位２９の長手方向と延伸部１５に設けられている貫通孔３１の長手方向とはお互いが交差（たとえばほぼ直交）している。
【００４１】
突起２５を貫通孔３１に設置して外側環状部位２１の帯状部位の先端部を延伸部１５に設置する際には、図１２の矢印ＡＲ１２の方向に外側環状部位（帯状部位）２１を適宜弾性変形させ、先端部側の部位２９の長手方向と貫通孔３１の長手方向とがお互いにほぼ一致するようにした後、突起２５を貫通孔３１に挿入する。この後、外側環状部位２１の弾性変形を解除すれば、先端部側の部位２９の長手方向と貫通孔３１の長手方向とがお互いに交差する方向になり、先端部側の部位２９が貫通孔３１を通過できなくなり（図１２の紙面の厚さ方向で通過できなくなり）、外側環状部位（帯状部位）２１の先端部が延伸部１５に設置される。
【００４２】
このように、外側環状部位（帯状部位）２１の先端部が延伸部１５に設置されることによって、図４に示すように、中央部１３と外側環状部位２１とが、立体的に形成される。また、外側環状部位（帯状部位）２１の他端部と延伸部１５とがお互いに接続された状態でも、延伸部１５に対して、外側環状部位２１の他端部が、所定の摩擦抵抗をもって外側環状部位２１の延伸方向に所定の僅かな距離だけ移動するようになっている。なお、外側環状部位２１に加えて他の外側環状部位をさらに設けてあってもよい。
【００４３】
ヘッドバンド１１では、図３に示す各接合部３３同士、また、各接合部３５同士が接続されることによって、図４に示すような椀状に、ヘルメット用内装体３が組み立てられる。
【００４４】
ここで、ヘルメット用内装体の係止装置１についてより詳しく説明する。
【００４５】
図５は、ヘルメット用内装体の係止装置１のブラケット部１９の概略構成を示す斜視図であり、図６は、ヘルメット用内装体の係止装置１の係合部１７の概略構成を示す斜視図であり、図７は、係合部１７をブラケット部１９に設置している状態を示す斜視図であり、図８は、係合部１７をブラケット部１９に設置し終えた状態を示す斜視図である。
【００４６】
図９は、ブラケット部１９の概略構成を示す正面図等であり、図９（ｂ）は、図９（ａ）におけるＩＸＢ矢視図であり、図９（ｃ）は、図９（ａ）におけるＩＸＣ矢視図である。
【００４７】
図１０は、係合部１７の概略構成を示す正面図等であり、図１０（ｂ）は、図１０（ａ）におけるＸＢ−ＸＢ断面を示す図であり、図１０（ｃ）は、図１０（ａ）におけるＸＣ−ＸＣ断面を示す図である。
【００４８】
図１１は、係合部１７をブラケット部１９に設置し終えた状態を示す正面図である。
【００４９】
ヘルメット用内装体の係止装置１は、係合部１７を備えている。係合部１７は、ヘルメット５の内装体３の中央部１３から延伸している延伸部１５の先端部およびこの近くで、たとえば一体成型によって内装体３に一体的に設けられている。また、係合部１７は、ブラケット部１９に係合するようになっている。ブラケット部１９は、ヘルメット５の帽体７の内側の縁部の近くで帽体７にたとえば一体成型によって一体的に設けられている。
【００５０】
そして、延伸部１５の長手方向の中間箇所（係合部１７と中央部１３との間に存在している中間箇所）をブラケット部１９に設置した後、延伸部１５を係合部１７と共にブラケット部１９に対して一方向にのみ移動することで（延伸部１５をこの延伸方向であって係合部１７がブラケット部１９に近づく方向引っ張ることで）、係合部１７の一部がブラケット部１９に接触して弾性変形し、延伸部１５と係合部１７とが所定の距離だけ移動し終えたときに、弾性変形していた部位が元の形状に復帰して、係合部１７がブラケット部１９に係止される構成になっている。
【００５１】
また、係合部１７の一部は、ブラケット部１９によって挟み込まれることにより、延伸部１５の先端部の近くに設けられた切り欠きもしくは貫通孔のところで弾性変形するように構成されている。
【００５２】
ヘルメット用内装体の係止装置１について例を掲げてさらに詳しく説明する。
【００５３】
ブラケット部１９は、第１の外側ガイド部位３９と、第１の内側ガイド部位４１と、第２の外側ガイド部位４３と、第２の内側ガイド部位４５とを備えて構成されている。
【００５４】
第１の外側ガイド部位３９は、板状の起立部位４７と板状のストッパー部位４９と板状のカバー部位５１とを備えて構成されている。
【００５５】
板状の起立部位４７は、帽体７の縁５３から頂上５５に向かう方向である縁頂上方向であって帽体７の内壁からほぼ直角に起立する方向に展伸して設けられている。
【００５６】
板状のストッパー部位４９は、帽体７の縁５３の周方向である縁周方向であって帽体７の内壁からほぼ直角に起立する方向に展伸して設けられていると共に、前記縁頂上方向における起立部位４７の頂上側の部位に接続して設けられている。
【００５７】
板状のカバー部位５１は、帽体７の内側で帽体７から離れ帽体７の内壁と平行に展伸し、起立部位４７の先端部（帽体７の内壁に接続されている端部とは反対側の端部）とストッパー部位４９の先端部（帽体７の内壁に接続されている端部とは反対側の端部）とに接続されている。
【００５８】
また、起立部位４７は、基端部側の一辺が帽体７の内壁に接続されている矩形状の縁側起立部位５７と、矩形状の頂上側起立部位５９とで構成されている。頂上側起立部位５９は、この基端部側の一辺が帽体７の内壁に接続されており、基端部側の一辺と隣接する辺の一部が縁側起立部位５７に接続されており、高さ（基端部側の一辺と平行な先端部側の一辺と帽体７の内壁との間の距離）が、縁側起立部位５７の高さ（縁側起立部位５７の一辺と平行な先端部側の一辺と帽体７の内壁との間の距離）よりも高くなっている。このように構成されていることで、起立部位４７は、この先端部であって帽体７の縁５３側の箇所に矩形な切り欠き６１を備えていることになる（図９（ｃ）参照）。
【００５９】
ストッパー部位４９は、矩形状に形成されており、基端部側の一辺が帽体７の内壁に接続されていると共に、高さが（基端部側の一辺と平行な先端部側の一辺と帽体７の内壁との間の距離）頂上側起立部位５９の高さと等しくなっている。なお、すでに理解されるように、ストッパー部位４９は、縁頂上方向における起立部位４７の頂上側の辺から、縁周方向で一方の側（図９（ａ）の右側）にのみ延びている。したがって、帽体７の内壁に垂直な方向から眺めると、図９（ａ）に示すように、起立部位４７とストッパー部位４９とで「Ｌ」字状をなしている。
【００６０】
カバー部位５１は、矩形状に形成されており、一辺の全長で頂上側起立部位５９の先端部の一辺の全長に接続されており、前記一辺に隣接する他の一辺の全長がストッパー部位４９の先端部の一辺の全長に接続されている。
【００６１】
第１の内側ガイド部位４１は、図９（ｃ）に示すように、前記縁頂上方向であって帽体７の内壁からほぼ直角に起立する方向に展伸して設けられた台形（一方の斜辺と下底との内角が「９０°」よりも小さく、たとえば前記内角が４５°程度である台形）状な板状に形成されており、台形状の下底が帽体７の内壁に接続され台形状の斜辺が帽体７の縁５３側を向くようにして（前記４５°程度の内角が帽体７の縁側に位置するようにして）、前記縁周方向におけるストッパー部位４９を間にした起立部位４７の反対側で（図９（ａ）の右側で）、第１の外側ガイド部位３９から所定の距離だけ離れて設けられている。また、第１の内側ガイド部位４１の台形状の上底における帽体７の縁５３側の端部が、前記縁頂上方向では頂上側起立部位５９の中間に位置し、台形状の上底における帽体７の頂上側の端部が、前記縁頂上方向ではストッパー部位４９とほぼ同じところに位置している。
【００６２】
第２の外側ガイド部位４３と第２の内側ガイド部位４５とは、第１の内側ガイド部位４１と間にした第１の外側ガイド部位３９とは反対側で第１の内側ガイド部位４１から離れて存在し帽体７の中心を通って縁頂上方向に展伸している平面（帽体７の内壁にほぼ垂直になっている平面）Ｐ９に対して、第１の外側ガイド部位３９と第１の内側ガイド部位４１とほぼ対称に形成されて設けられている（図９（ａ）参照）。
【００６３】
係合部１７は、延伸部１５の先端部側に位置している延伸部先端側部位６３と、延伸部１５の先端部で延伸部先端側部位６３に一体的に設けられている（たとえば一体で成型されている）本体部位６５とを備えて構成されている。
【００６４】
延伸部先端側部位６３は、延伸部先端側部位本体６７と第１の変動部位６９と第２の変動部位７１と第１の貫通孔７３と第２の貫通孔７５とを備えて構成されている。
【００６５】
延伸部先端側部位本体６７は、所定の幅と厚さとを備えた矩形な板状に形成されており、長手方向に垂直な断面が細長い矩形状に形成されている。
【００６６】
第１の変動部位６９は、延伸部先端側部位本体６７の幅方向の一方の側で突出して設けられており、第２の変動部位７１は、延伸部先端側部位本体６７の幅方向の他方の側で突出して設けられている。
【００６７】
第１の貫通孔（延伸部先端側部位本体６７を貫通する貫通孔）７３は、延伸部先端側部位本体６７の幅方向の一方の側で、第１の変動部位６９に沿って延伸部先端側部位本体６７に設けられており、第２の貫通孔（延伸部先端側部位本体６７を貫通する貫通孔）７５は、延伸部先端側部位本体６７の幅方向の他方の側で、第２の変動部位７１に沿って延伸部先端側部位本体６７に設けられている。
【００６８】
第１の変動部位６９は、延伸部先端側部位本体６７とほぼ同じ厚さで細長い直角三角状の板状に形成されており、前記直角を形成する長い方の辺が延伸部先端側部位本体６７に接続されるようにし、また、本体部位６５から延伸部１５の長手方向で僅かに離れて、延伸部先端側部位本体６７に一体的に設けられている。
【００６９】
第１の貫通孔７３は細長い長円状に形成されて延伸部１５の長手方向に延びていると共に、延伸部１５の長手方向で第１の変動部位６９に対してオーバーハングするように設けられている。
【００７０】
第２の変動部位７１と第２の貫通孔７５とは、中心面（延伸部先端側部位６３の中心を通り延伸部先端側部位６３の長手方向と延伸部先端側部位６３の厚さ方向とに展伸している面）Ｐ１１に対して、第１の変動部位６９と第１の貫通孔７３とほぼ対称に形成されて設けられている（図１１（ａ）参照）。
【００７１】
本体部位６５は、中央部位７７と第１の端部側部位７９と第１の差し込み部位８１と第２の端部側部位８３と第２の差し込み部位８５とを備えて構成されている。
【００７２】
中央部位７７は、延伸部先端側部位６３とほぼ同じ幅で延伸部先端側部位６３の厚さよりも厚い矩形な板状に形成されている。
【００７３】
第１の端部側部位７９は、中央部位７７の厚さとほぼ同じ厚さで「Ｌ」字状に形成され、また、中央部位７７の幅方向の一方の側で、中央部位７７から突出している。
【００７４】
第１の差し込み部位８１は、中央部位７７の厚さから延伸部先端側部位６３の厚さを差し引いた厚さで矩形状な板状に形成されており、中央部位７７と第１の端部側部位７９との間で、また、中央部位７７の幅方向の一方の側で、中央部位７７から突出している。
【００７５】
第２の端部側部位８３は、中央部位７７の厚さとほぼ同じ厚さで「Ｌ」字状に形成され、また、中央部位７７の幅方向の他方の側で、中央部位７７から突出している。
【００７６】
第２の差し込み部位８５は、中央部位７７の厚さから延伸部先端側部位６３の厚さを差し引いた厚さで矩形状な板状に形成されており、中央部位７７と第２の端部側部位８３との間で、また、中央部位７７の幅方向の他方の側で、中央部位７７から突出している。
【００７７】
中央部位７７は、この幅方向の両端が延伸部先端側部位６３の幅方向の両端の延長上に存在するようにして、また、中央部位７７は、この厚さ方向の一方の面が延伸部先端側部位６３の厚さ方向の一方の面の延長上に存在するようにして設けられている。
【００７８】
第１の端部側部位７９は、この厚さ方向の両面が中央部位７７の厚さ方向の両面の延長上に存在し、また、第１の端部側部位７９の長手方向の基端部が、中央部位７７の幅方向の一端部であって延伸部先端側部位６３から離れた側の部位に接続されている。
【００７９】
また、第１の端部側部位７９は、この基端部側の部位が中央部位７７から離れる方向（中央部位７７の幅方向）に延伸しており、この先端部側の部位が、延伸部１５の延伸方向に延伸しており、延伸部１５の長手方向では、第１の端部側部位７９の先端部と、中央部位７７の延伸部先端側部位６３との接続部とがほぼ同じところに位置している。
【００８０】
第１の差し込み部位８１は、この厚さ方向の一方の面が中央部位７７の厚さ方向の他方の面の延長上の存在しており、第１の差し込み部位８１の幅方向の一方の面が中央部位７７に接続されており、第１の差し込み部位８１の長手方向の一方の面が第１の端部側部位７９の基端部側の部位に接続されており、また、第１の差し込み部位８１の幅方向の他端部が第１の端部側部位７９の先端部側の部位から離れている。
【００８１】
第２の端部側部位８３と第２の差し込み部位８５とは、中心面Ｐ１１に対して、第１の端部側部位７９と第１の差し込み部位８１とほぼ対称に設けられている（図１１（ａ）参照）。
【００８２】
なお、中央部位７７の幅ｄ１は、第１の外側ガイド部位３９と第２の外側ガイド部位４３との距離ｄ２よりも僅かに小さくなっており、第１の変動部位６９の先端と第２の変動部位７１の先端との間の距離ｄ３は、距離ｄ２よりも僅かに大きくなっている（図１１（ａ）参照）。
【００８３】
また、図１０（ｂ）に示す厚さ寸法ｔ３は、図９（ｂ）に示す距離寸法ｔ４よりもごく僅かに大きくなっている。
【００８４】
そして、延伸部１５の長手方向の中間箇所をブラケット部１９に設置した後、延伸部１５を係合部１７と共にブラケット部１９に対して一方向（図１０（ａ）の矢印ＡＲ１の方向）にのみ移動することで、係合部１７の一部がブラケット部１９に接触して図１０（ａ）の矢印ＡＲ３で示すように弾性変形し、延伸部１５と係合部１７とが所定の距離だけ移動し終えたときに、弾性変形していた部位が元の形状に復帰して、係合部１７がブラケット部１９に係止されるようになっている。
【００８５】
このような係止状態において、図１１の紙面の上下方向では、たとえば、第１の変動部位６９と第１の差し込み部位８１とによって、第１の外側ガイド部位３９を挟み込み、第２の変動部位７１と第２の差し込み部位８３とによって、第２の外側ガイド部位４３を挟み込み、内装体３の帽体７への係止がなされる。または、たとえば、第１の端部側部位７９と第１の差し込み部位８１とによって、第１の外側ガイド部位３９を挟み込み、第２の端部側部位８３と第２の差し込み部位８５とによって、第２の外側ガイド部位４３を挟み込み、内装体３の帽体７への係止がなされる。
【００８６】
また、前記係止状態において、図１１の紙面に直角な方向では、第１の外側ガイド部位３９と第１の内側ガイド部位４１とによって第１の差し込み部位８１を挟み込み、第２の外側ガイド部位４３と第２の内側ガイド部位４５とによって第２の差し込み部位８５を挟み込み、内装体３の帽体７への係止がなされる。
【００８７】
さらに、また、前記係止状態において、図１１の紙面の左右方向では、たとえば、第１の外側ガイド部位３９と第２の外側ガイド部位４３とで、係合部１７の中央部位７７を挟み込み、内装体３の帽体７への係止がなされる。
【００８８】
なお、係合部１７を、図１４や図１５に示すように変形してもよい。図１４では、延伸部先端側部位６３の中央部に長い円もしくは楕円状の貫通孔９１を設けてあって、延伸部先端側部位６３の幅方向の両端部に円弧状の変動部位９３を突出して設けてある。図１５では、延伸部先端側部位６３の中央部に細長い切り欠き９５を設けてある。
【００８９】
ヘルメット用内装体の係止装置１によれば、係合部１７等を弾性変形させることなく延伸部１５をブラケット部１９に設置した後、延伸部１５を係合部１７と共にブラケット部１９に対して一方向にのみ移動することで、ブラケット部１９への係合部１７の設置がなされるので、ヘルメット５の帽体７への内装体３の設置が容易になっており、ヘルメット５の帽体７と内装体３との組み立て作業が簡素化され、ロボット等を用いて組み立て作業の自動化を容易に実行することができる。
【００９０】
ヘルメット用内装体３によれば、２つの前側延伸部１５Ａ、１５Ｂの各中心線Ｌ１、Ｌ３の延長線の交点Ｐ１が、中央部１３の中心Ｐ０よりも前側に存在し、後側に位置する２つの後側延伸部１５Ｃ、１５Ｄの各中心線Ｌ５、Ｌ７の延長線の交点Ｐ３が、中央部１３の中心Ｐ０よりも後側に存在しているので、一般的に前後方向に長くなっている人の頭に、各延伸部１５と共に中央部１３がフィットしやすくなっており、違和感をいだくことなく安定感をもって、内装体３が設置されたヘルメット５を人がかぶることができる。
【００９１】
また、ヘルメット用内装体３によれば、環状の中央部１３のまわりに外側環状部位２１が設けられているので、人がヘルメット５をかぶった際、中央部１３と外側環状部位２１とが頭部に接触することになり、帽体７の重量が分散される等して、内装体３が頭にフィットしやすくなり、違和感をいだくことなく安定感をもって、内装体３が設置されたヘルメット５を人がかぶることができる。
【００９２】
また、ヘルメット用内装体３によれば、外側環状部位２１の帯状部位の他端部側を延伸部１５に接続すると、環状の中央部１３と外側環状部位２１とが頭の形状に合うようにして立体的に形成されるので（図４参照）、内装体３が頭に一層フィットしやすくなり、違和感をいだくことなく安定感をもって、内装体３が設置されたヘルメット５を人がかぶることができる。
【００９３】
さらに、ヘルメット用内装体３によれば、外側環状部位２１の帯状部位の他端部と延伸部とがお互いに接続された状態でも、延伸部１５に対して、帯状部位の他端部が、所定の摩擦抵抗をもって移動するように構成されているので、内装体３が設置されたヘルメット５をかぶった人の頭の大きさや形状に応じて、外側環状部位２１の形態は自動的に変化し、内装体３が頭にさらに一層フィットしやすくなり、違和感をいだくことなく安定感をもって、内装体３が設置されたヘルメット５を人がかぶることができる。
【図面の簡単な説明】
【００９４】
【図１】本発明の実施形態に係るヘルメット用内装体の係止装置とヘルメット用内装体とを備えたヘルメットの概略構成を示す斜視図である。
【図２】図１におけるＩＩ矢視図である。
【図３】ヘルメット用内装体を平面状に展開した状態を示す概略図である。
【図４】ヘルメット用内装体を組み立てた状態を示す概略の斜視図である。
【図５】ヘルメット用内装体の係止装置のブラケット部の概略構成を示す斜視図である。
【図６】ヘルメット用内装体の係止装置の係合部の概略構成を示す斜視図である。
【図７】係合部をブラケット部に設置している状態を示す斜視図である。
【図８】係合部をブラケット部に設置し終えた状態を示す斜視図である。
【図９】ブラケット部の概略構成を示す正面図等である。
【図１０】係合部の概略構成を示す正面図等である。
【図１１】係合部をブラケット部に設置し終えた状態を示す正面図である。
【図１２】図３におけるＸＩＩ部の拡大図である。
【図１３】図１２におけるＸＩＩＩ−ＸＩＩＩ断面を示す図である。
【図１４】係合部の変形例を示す図である。
【図１５】係合部の変形例を示す図である。
【図１６】従来のヘルメット（たとえば、特許文献１参照）の概略構成を示す図である。
【図１７】従来のヘルメット用内装体の係止装置（たとえば、特許文献２参照）の概略構成を示す図である。
【符号の説明】
【００９５】
１  係止装置
３  内装体
５  ヘルメット
７  帽体
９  ハンモック
１１  ヘッドバンド
１３  中央部
１５、１５Ａ、１５Ｂ、１５Ｃ、１５Ｄ  延伸部
１７  係合部
１９  ブラケット部
２１  外側環情部位
２３  切り欠き
２５  突起
２７  基端部側の部位
２９  先端部側の部位
３１  貫通孔
３９  第１の外側ガイド部位
４１  第１の内側ガイド部位
４３  第２の外側ガイド部位
４５  第２の内側ガイド部位
４７  起立部位
４９  ストッパー部位
５１  カバー部位
５３  帽体の縁
５５  帽体の頂上
５７  縁側起立部位
５９  頂上側起立部位
６１  起立部位の切り欠き
６３  延伸部先端側部位
６５  本体部位
６７  延伸部先端側部位本体
６９  第１の変動部位
７１  第２の変動部位
７３  第１の貫通孔
７５  第２の貫通孔
７７  本体部位の中央部位
７９  第１の端部側部位
８１  第１の差し込み部位
８３  第２の端部側部位
８５  第２の差し込み部位
Ｌ１、Ｌ３、Ｌ５、Ｌ７  中心線
Ｐ０  中心
Ｐ１、Ｐ３  交点
Ｐ９、Ｐ１１  平面
【図１】
2008150745.tif 000003
【図２】
2008150745.tif 000004
【図３】
2008150745.tif 000005
【図４】
2008150745.tif 000006
【図５】
2008150745.tif 000007
【図６】
2008150745.tif 000008
【図７】
2008150745.tif 000009
【図８】
2008150745.tif 000010
【図９】
2008150745.tif 000011
【図１０】
2008150745.tif 000012
【図１１】
2008150745.tif 000013
【図１２】
2008150745.tif 000014
【図１３】
2008150745.tif 000015
【図１４】
2008150745.tif 000016
【図１５】
2008150745.tif 000017
【図１６】
2008150745.tif 000018
【図１７】
2008150745.tif 000019